(57)【特許請求の範囲】
【請求項１】
下地に対して取り外し可能な固定具によって固定され、前記下地の略全面を覆う板材と、
前記板材の表面に広がる接着層によって前記板材に接着された防水シートと、
前記板材と前記下地との間に介装された板状の断熱材と、
を備える防水構造の改修方法であって、
前記板材を前記下地から取り外すことによって、前記下地から前記防水シートを剥がし、前記断熱材を残存させて継続使用し、新たな防水シートを設けることを特徴とする防水構造の改修方法。
【発明の詳細な説明】
【技術分野】
【０００１】
本発明は、防水構造、及び防水構造の改修方法に関する。
【背景技術】
【０００２】
従来より、例えば特許文献１に記載のように、ベランダや陸屋根等の外部床の防水構造として、接着剤を用いて床の下地に対し防水シートを全面的に接着する密着工法があった。この工法は、下地にディスクを所定の間隔でビス固定し、このディスクに防水シートを融着（溶着）するいわゆる絶縁工法に比べて、材料費が低廉で手間もかからない点で有利である。しかし、経年後の改修（防水シートの貼り替え）時に、全面接着された既存防水シートを剥がす必要があり、多大な手間を要するというデメリットがある。
【０００３】
この手間を省くために、既存防水シートを剥がさず、新規防水シートを既存防水シートに全面接着する工法をとることもある。しかし、この工法では、劣化した既存防水シートが下地から剥がれることで新規防水シートが既存防水シートもろとも剥がれてしまったり、新規防水シートが劣化した既存防水シートから剥がれてしまったりする虞がある。また、既存防水シートの凹凸を新規防水シートが拾って美観を損なう虞もある。更に、新規防水シートに含まれる可塑剤が既存防水シートに移行して、新規防水シートの劣化が早まる虞もある。このように、この工法は品質上の問題が多く好ましいものではない。
【先行技術文献】
【特許文献】
【０００４】
【特許文献１】特開２００８−２８０８３５公報
【発明の概要】
【発明が解決しようとする課題】
【０００５】
本発明は、上述の密着工法による防水構造における改修時の問題を解決するためになされたものであり、改修作業を容易に行うことのできる防水構造及び防水構造の改修方法を提供することを目的とする。
【課題を解決するための手段】
【０００９】
本発明に係る防水構造の改修方法は、下地に対して取り外し可能な固定具によって固定され、下地の略全面を覆う板材と、板材の表面に広がる接着層によって板材に接着された防水シートと、板材と下地との間に介装された板状の断熱材と、を備える防水構造の改修方法であって、板材を下地から取り外すことによって、下地から防水シートを剥がし、断熱材を残存させて継続使用し、新たな防水シートを設けることを特徴とする。
【００１０】
本発明に係る防水構造の改修方法によれば、下地に対して全面接着された防水シートを剥がす場合に比して、改修作業の手間を大幅に削減することができる。
【発明の効果】
【００１１】
本発明によれば、密着工法による防水構造における改修作業を容易に行うことができる。
【図面の簡単な説明】
【００１２】
【図１】本発明の第一実施形態に係る防水構造を示す断面図である。
【図２】図１においてＡ１で示す部分の拡大断面図である。
【図３】本発明の第二実施形態に係る防水構造を示す断面図である。
【図４】図３においてＡ２で示す部分の拡大断面図である。
【図５】本発明の第三実施形態に係る防水構造を示す断面図である。
【図６】図５においてＡ３で示す部分の拡大断面図である。
【発明を実施するための形態】
【００１３】
以下、図面を参照しつつ本発明に係る防水構造、及びその改修方法の好適な実施形態について詳細に説明する。
【００１４】
［第一実施形態］
図１及び図２を参照して、本発明の第一実施形態に係る防水構造１及びその改修方法について説明する。図１は、本発明の第一実施形態に係る防水構造１を示す断面図である。図２は、図１においてＡ１で示す部分の拡大断面図である。第一実施形態に係る防水構造１は、木造建築物のベランダＢＬ１の床に適用されている。防水構造１は、ベランダＢＬ１の下地合板（下地）ＦＢ１の防水性を確保すると共に、改修を行いやすくすることのできる構造である。防水構造１は、下地合板ＦＢ１の上面に固定された捨て貼り板（板材）２と、捨て貼り板２の表面２ａの全面にわたって形成された接着層３と、接着層３によって捨て貼り板２に固定された防水シート４とを備えて構成されている。なお、接着層３は、防水シート４に比して非常に薄く、図１においては省略されている。また、図２においては構成を理解し易くするために接着層３が実際よりも厚く示されている。
【００１５】
捨て貼り板２は、下地合板ＦＢ１に対して取り外し可能に固定された板材であり、下地合板ＦＢ１の上面に配置されている。捨て貼り板２は構造用合板からなり、下地合板ＦＢ１の略全面を覆うように、ベランダＢＬ１の面積に応じて複数枚敷かれている。捨て貼り板２は、２〜３０ｍｍ程度、より好ましくは６〜１２ｍｍ程度の厚さに設定することができる。捨て貼り板２としては、構造用合板の他に、例えば、普通合板、プラスチック合板、パーティクルボード、インシュレーションボード、珪カル板、セメント板（フレキシブル板、大平板）などを用いることができる。
【００１６】
捨て貼り板２は、下地合板ＦＢ１に対して部分的に固定され（すなわち、下地合板ＦＢ１に対して広い面積にわたって塗布された接着剤・粘着剤などによって全面的に接着する固定法ではなく）、改修時において容易に取り外し可能となっている。具体的には、捨て貼り板２は、当該捨て貼り板２を貫通して下地合板ＦＢ１に先端部が到達するようにねじ込まれた、木ビスからなる固定具６によって固定されている。この固定具６は、捨て貼り板２を複数箇所で部分的に固定している。固定具６の後端部、すなわち頭部６ａは、捨て貼り板２の表面２ａから突出している。改修時においては、それぞれの固定具６を引き抜くだけで、捨て貼り板２を容易に下地合板ＦＢ１から取り外すことができる。固定具６としては、他に、例えば釘やタッカーを用いることができる。
【００１７】
接着層３は、捨て貼り板２の表面２ａに対して防水シート４を接着するための層である。接着層３は、捨て貼り板２の表面２ａに粘着剤（粘性を有し、防水シート４の伸縮等に伴う捨て貼り板２と防水シート４との相対的な変位を許容するもの）あるいは接着剤（硬化して捨て貼り板２と防水シート４との相対的な変位を許容しないもの）を塗布することによって形成される。接着層３は、捨て貼り板２の表面２ａの全面に形成されており、これによって、防水シート４は、捨て貼り板２に対して全面接着されている。ただし、防水シート４の一部において接着されていない部分があることにより、略全面接着とされていてもよい。接着層３と下地合板ＦＢ１との間には捨て貼り板２が介在しているため、接着剤や粘着剤が下地合板ＦＢ１に付着することが防止される。接着層３は、１００〜３０００μｍ程度の厚さに設定することができる。接着層３を構成する粘着剤として、ネオプレンゴム系、アクリルゴム系、ブチルゴム系、シリコンゴム系、ウレタンゴム系、ゴムアスファルト系のものを用いることができる。また、接着層３を構成する接着剤として、エポキシ系、アクリル系、ウレタン系のものを用いることができる。
【００１８】
防水シート４は、捨て貼り板２を介して下地合板ＦＢ１の上面を覆うことによって、下地合板ＦＢ１の防水性を確保する。この防水シート４は、改修時においては、捨て貼り板２もろとも下地合板ＦＢ１から取り外すことによって、当該下地合板ＦＢ１から剥離することが可能である。防水シート４の厚さは、１〜５ｍｍ程度、より好ましくは１．５〜２．３ｍｍに設定することができる。防水シート４として、塩ビ防水シート、アスファルト防水シート、改質アスファルト防水シート、アクリルゴム防水シート、オレフィン系防水シートなどを用いることができる。なお、防水シート４の縁部は、壁Ｗ１の溝部Ｈ１に取り付けられた鋼板ＡＰに対して溶着されている。また、溝部Ｈ１には、鋼板ＡＰに溶着された防水シート４の端縁部を巻き込んだ状態でシーリング剤Ｓが充填される。
【００１９】
前述のとおり、固定具６の後端部、すなわち頭部６ａは、捨て貼り板２の表面２ａから突出している。また、防水シート４は柔軟性を有しており、固定具６の後端部である頭部６ａに対応する位置において、表面４ａ側に突出して突出部８が形成される。この突出部８は、外側から目視あるいは手触りでその位置が確認でき、改修時において、防水シート４の上からでも固定具６の位置を把握することができる。突出部８の突出寸法は、美観を損なわない程度、あるいは防水シート４の上面に保護材を敷設する場合は敷設に支障が生じない程度の突出量とすることが好ましい。具体的には、防水シート４の表面４ａの平坦な部分よりも０．５〜１．０ｍｍ程度突出していることが好ましい。
【００２０】
次に、上述のような防水構造１の新築時の施工手順、及び経年後の改修作業の手順について説明する。
【００２１】
まず、新築時においては、下地合板ＦＢ１の上面に捨て貼り板２を割付けて、固定具６として木ビスを捨て貼り板２及び下地合板ＦＢ１に打ち込むことによって、捨て貼り板２を下地合板ＦＢ１に固定する。次に、捨て貼り板２の表面２ａに粘着剤を塗布して接着層３を形成する。塗布された粘着剤がある程度乾燥した後、防水シート４を捨て貼り板２の表面２ａに貼り付ける。防水シート４同士は、溶剤溶着や熱風溶着にて接合して防水性を確保する。
【００２２】
１０〜３０年後の防水構造１の改修時においては、防水シート４の表面４ａを視認あるいは手で撫でて突出部８を探し出すことによって、固定具６の位置を確認する。確認後、突出部８の位置において防水シート４をカッターなどで切断して、固定具６の頭部６ａを露出させる。その後、ドライバーなどの工具を用いて固定具６を下地合板ＦＢ１及び捨て貼り板２から抜き取る。
【００２３】
固定具６を抜き取った後、捨て貼り板２の継目ＪＬに沿って防水シート４をカッター等で切断する。これによって、防水シート４は、捨て貼り板２一枚の大きさに分割され、これらの捨て貼り板２を取り外すことによって、容易に下地合板ＦＢ１から剥離することができる。このとき、下地合板ＦＢ１に対する捨て貼り板２の固定は、固定具６による部分的なものであるので、下地合板ＦＢ１の上面には固定具６を抜き取った跡のみが所々残されるだけであり、下地合板ＦＢ１の継続的使用に全く問題はない。既存防水シート４を剥がした後、再び下地合板ＦＢ１に防水構造１を設ける。新たな防水構造１の施工は、上述の新築時における改修準備と同じ工程にて行うことができる。
【００２４】
以上のように、本実施形態に係る防水構造１及びその改修方法によれば、防水シート４が、下地合板ＦＢ１に対して取り外し可能に固定された捨て貼り板２を介して、下地合板ＦＢ１を覆う構成となっている。従って、改修時においては、捨て貼り板２を下地合板ＦＢ１から取り外すだけで、下地合板ＦＢ１から防水シート４を剥がすことが可能となる。従って、下地合板ＦＢ１に対して全面接着された防水シートを剥がす場合に比して、改修作業の手間を大幅に削減することができる。
【００２５】
また、本実施形態に係る防水構造１において、捨て貼り板２は、固定具６によって下地合板ＦＢ１に対し部分的に固定される構成となるため、改修時においては、固定具６を抜き取るだけの作業で、捨て貼り板２及び防水シート４を容易に取り外すことが可能となる。また、防水シート４は、固定具６の頭部６ａに対応する位置において突出する突出部８を有しているため、固定具６の位置を防水シートの上から容易に探し当てることが可能となる。これによって改修作業が一層容易になる。
【００２６】
［第二実施形態］
図３及び図４を参照して、本発明の第二実施形態に係る防水構造１００及びその改修方法について説明する。図３は、本発明の第二実施形態に係る防水構造１００を示す断面図である。図４は、図３においてＡ２で示す部分の拡大断面図である。第二実施形態に係る防水構造１００は、鉄骨造の建築物などのベランダＢＬ２の床に適用されている点で、第一実施形態と主に相違している。このときの下地パネルＦＢ２は、ＡＬＣ（軽量気泡コンクリート）板、プレキャストコンクリート板などである。
【００２７】
第二実施形態に係る防水構造１００においては、具体的に、捨て貼り板２として、２〜３０ｍｍ程度、より好ましくは６〜１２ｍｍ程度の合板（構造用合板、普通合板）、プラスチック合板、パーティクルボード、インシュレーションボード、珪カル板、セメント板（フレキシブル板、大平板）などが用いられる。また、固定具６として、ＡＬＣ用釘、またはＡＬＣ用のナイロンプラグ、コンクリート釘、コンクリート用ナイロンプラグ、コンクリート用アンカー金具など、下地パネルＦＢ２の材質に適したものが適宜用いられる。また、接着層３を構成する粘着剤として、ネオプレンゴム系、アクリルゴム系、ブチルゴム系、シリコンゴム系、ウレタンゴム系、ゴムアスファルト系のものを用いることができる。また、接着層３を構成する接着剤として、エポキシ系、アクリル系、ウレタン系のものを用いることができる。このような第二実施形態に係る防水構造１００は、第一実施形態に係る防水構造１と同様な手順にて新築時の施工及び径年後の改修作業が行われる。
【００２８】
このような鉄骨造に係る建築物に対して適用される第二実施形態に係る防水構造１００及びその改修方法においても、第一実施形態に係る防水構造１及びその改修方法と同様な作用効果が得られ、改修作業を容易に行うことができる。
【００２９】
［第三実施形態］
図５及び図６を参照して、本発明の第三実施形態に係る防水構造２００及びその改修方法について説明する。図５は、本発明の第三実施形態に係る防水構造２００を示す断面図である。図６は、図５においてＡ３で示す部分の拡大断面図である。第三実施形態に係る防水構造２００は、下地合板ＦＢ１の上面に既存防水シート１１が全面接着された既築建物のベランダＢＬ１の床を改修する場合に適用した例である。本実施形態では、既存防水シート１１は下地合板ＦＢ１から容易に剥がすことができないため、既存防水シート１１をそのまま残存させておき、その上面に捨て貼り板２を敷設し、固定具６によって捨て貼り板２を固定している。その他の部分における構成は、第一実施形態に係る防水構造１と同様である。
【００３０】
防水構造２００の施工手順、及び経年後の改修作業の手順について説明すると、まず、改修準備時においては、下地合板ＦＢ１の上面に接着されている既存防水シート１１上に捨て貼り板２を割付けて、固定具６として木ビスを捨て貼り板２、既存防水シート１１及び下地合板ＦＢ１に打ち込むことによって、捨て貼り板２を既存防水シート１１を介して下地合板ＦＢ１に固定する。その後、接着層３によって防水シート４を捨て貼り板２の表面２ａに貼り付ける。このとき、固定具６は下地合板ＦＢ１に十分に打ち込まれているため、防水シート４及び捨て貼り板２は、既存防水シート１１の下地合板ＦＢ１からの剥がれの影響をうけず、十分に下地合板ＦＢ１に固定された状態を維持できる。また、捨て貼り板２が防水シート４と既存防水シート１１との間に介在しているため、既存防水シート１１の凹凸が新たな防水シート４の表面に現れて美観を損なう虞がなく、防水シート４に含まれる可塑剤が既存防水シート１１に移行して防水シート４の劣化が早まる虞もない。１０〜３０年後の防水構造２００の改修時においては、捨て貼り板２及び防水シート４のみを取り外して、既存防水シート１１の上面に対して再び防水構造２００を設ける。
【００３１】
以上のように、下地に既存防水シート１１が全面接着されている第三実施形態に係る防水構造２００及びその改修方法においても、第一実施形態に係る防水構造１及びその改修方法と同様な作用効果が得られ、改修作業を容易に行うことができる。また、既存防水シート１１によって新たな防水シート４に悪影響が及ぶことも防止することができる。
【００３２】
本発明は、上述の各実施形態に限定されるものではない。
【００３３】
例えば、下地の材質は固定具６を打ち込むことのできる材質であれば特に限定されない。また、上述の実施形態では、ベランダにおける床の防水を例にしたが、他の部位、例えば陸屋根など対しても適用することができる。また、床や陸屋根など平坦面のみならず、勾配屋根など傾斜面にも適用できる。
【００３４】
また、板材が下地に直接固定される構成に限定もされず、例えば、板材と下地との間に発泡プラスチック系の板状の断熱材が介装され、板材と断熱材とを貫通する固定具にて板材と断熱材が下地に固定される構成であってもよい。この構成では、改修の際、防水シート及び板材とを取り外し、断熱材を残存させ継続使用することができる。
【符号の説明】
【００３５】
１，１００，２００…防水構造、２…捨て貼り板（板材）、２ａ…表面、３…接着層、４…防水シート、４ａ…表面、６…固定具、６ａ…頭部（外側の端部）、ＦＢ１…下地合板（下地）、ＦＢ２…下地パネル。
【図１】
0005653668.tif 000002
【図２】
0005653668.tif 000003
【図３】
0005653668.tif 000004
【図４】
0005653668.tif 000005
【図５】
0005653668.tif 000006
【図６】
0005653668.tif 000007